(57)【要約】【課題】  パネル駆動方法、パネル駆動装置及びディスプレイパネルを提供する。【解決手段】  順次走査電極構造を有するディスプレイパネルを駆動するために、映像出力モードを決定する段階と、第１モードである場合には順次走査方式で駆動する段階と、第２モードである場合にはインターレース走査方式で駆動する段階と、を備えるパネル駆動方法。本発明によれば、順次走査電極構造のディスプレイパネルにおいて、所望の映像出力モードによって高解像度を具現できる順次走査方式または高輝度を具現できるインターレース方式で動作させうる。【選択図】            図８
2005122148.tif 000002
【特許請求の範囲】
【請求項１】
順次走査電極構造を有するディスプレイパネルを駆動するために、
映像出力モードを決定する段階と、
第１モードである場合には、順次走査方式で駆動する段階と、
第２モードである場合には、インターレース走査方式で駆動する段階と、を備えることを特徴とするパネル駆動方法。
【請求項２】
前記第１モードはモニターモードであり、
前記第２モードは動映像モードであることを特徴とする請求項１に記載のパネル駆動方法。
【請求項３】
前記インターレース走査方式は、
二つ以上の走査電極を一対にして、同一の走査パルス及びアドレス信号を印加する段階と、
前記走査パルス及びアドレス信号の印加後に、前記各電極対に対して、一つの電極に主維持放電パルスを印加し、他の電極には補助維持放電パルスを印加する段階と、を備えることを特徴とする請求項１に記載のパネル駆動方法。
【請求項４】
前記補助維持放電パルスは、前記主維持放電パルスよりパルス数が少ないことを特徴とする請求項３に記載のパネル駆動方法。
【請求項５】
順次走査電極構造を有するディスプレイパネルを駆動するために、
映像出力モードを決定する手段と、
第１モードである場合には、順次走査方式で駆動する手段と、
第２モードである場合には、インターレース走査方式で駆動する手段と、を備えることを特徴とするディスプレイパネル。
【請求項６】
前記第１モードはモニターモードであり、
前記第２モードは動映像モードであることを特徴とする請求項５に記載のディスプレイパネル。
【請求項７】
前記インターレース走査方式で駆動する手段は、
二つ以上の走査電極を一対にして、同一の走査パルス及びアドレス信号を印加する手段と、
前記走査パルス及びアドレス信号の印加後に、前記各電極対に対して、一つの電極に主維持放電パルスを印加し、他の電極には補助維持放電パルスを印加する手段と、を備えることを特徴とする請求項５に記載のディスプレイパネル。
【請求項８】
前記補助維持放電パルスは、前記主維持放電パルスよりパルス数が少ないことを特徴とする請求項７に記載のディスプレイパネル。
【請求項９】
二つの走査電極を一対にして同一のアドレスパルスを印加する走査パルス発生部と、
第１電極グループに主維持放電パルスを発生させる第１維持パルス発生部と、
第２電極グループに補助維持放電パルスを発生させる第２維持パルス発生部と、を備えることを特徴とするパネル駆動装置。
【請求項１０】
走査電極を前記第１、第２電極グループに分類したことを特徴とする請求項１１に記載のパネル駆動装置。
【請求項１１】
共通電極を前記第１、第２電極グループに分類したことを特徴とする請求項１０に記載のパネル駆動装置。
【請求項１２】
前記補助維持放電パルスは、前記主維持放電パルスよりパルス数が少ないことを特徴とする請求項１０に記載のパネル駆動装置。
【請求項１３】
前記第１維持パルス発生部と前記第２維持パルス発生部とのうち一つを選択して偶数番目の走査電極に連結する第１選択部をさらに備えることを特徴とする請求項１０に記載のパネル駆動装置。
【請求項１４】
外部から入力される映像の変化程度によって映像モード信号を発生させる映像モード決定部をさらに備え、
前記第１選択部は、前記映像モード信号に応じて前記第１維持パルス発生部と前記第２維持パルス発生部とのうち一つを選択することを特徴とする請求項１３に記載のパネル駆動装置。
【請求項１５】
前記第１維持パルス発生部と前記第２維持パルス発生部とのうち一つを選択して前記奇数番目の走査電極に連結する第２選択部をさらに備えることを特徴とする請求項１３に記載のパネル駆動装置。
【請求項１６】
外部から入力される映像の変化程度によって映像モード信号を発生させる映像モード決定部をさらに備え、
前記第１選択部及び前記第２選択部は、前記映像モード信号に応じて前記第１維持パルス発生部と前記第２維持パルス発生部とのうち一つを選択することを特徴とする請求項１５に記載のパネル駆動装置。
【請求項１７】
ユーザーの操作によって映像モード信号を発生させる操作部をさらに備え、
前記第１選択部または／及び前記第２選択部は、前記映像モード信号に応じて前記第１維持パルス発生部と前記第２維持パルス発生部とのうち一つを選択することを特徴とする請求項１３または１５に記載のパネル駆動装置。
【請求項１８】
請求項１ないし４のうち何れか一項に記載の方法をコンピュータで実行させるためのプログラムを記録したコンピュータ可読記録媒体。
【発明の詳細な説明】
【技術分野】
【０００１】
本発明は、プラズマディスプレイパネル（ＰＤＰ）のように表示セルを形成する電極構造に維持パルスを印加することによって画面を表示するディスプレイパネルに関する。
【背景技術】
【０００２】
図１は、一般的な３電極面放電方式のＰＤＰの構造を示す図面である。図２は、図１に示されたパネルの一つのセルの動作を説明するための図面である。
【０００３】
図１及び図２を参照すれば、一般的な面放電ＰＤＰ１の前及び背面ガラス基板１００、１０６の間には、アドレス電極ラインＡ１，Ａ２，…，Ａｍ、誘電層１０２、１１０、Ｙ電極ラインＹ１，…，Ｙｎ、Ｘ電極ラインＸ１，…，Ｘｎ、蛍光層１１２、隔壁１１４、及び保護層としての一酸化マグネシウム（ＭｇＯ）層１０４が設けられている。
【０００４】
アドレス電極ラインＡ１，Ａ２，…，Ａｍは、背面ガラス基板１０６の前面に一定のパターンで形成される。下側誘電層１１０は、アドレス電極ラインＡ１，Ａ２，…，Ａｍの前面に塗布される。下側誘電層１１０の前面には隔壁１１４がアドレス電極ラインＡ１，Ａ２，…，Ａｍと平行に形成される。この隔壁１１４は、各ディスプレイセルの放電領域を区画し、各ディスプレイセル間の光学的干渉を防止する機能をする。蛍光層１１２は、隔壁１１４の間で形成される。
【０００５】
Ｘ電極ラインＸ１，…，Ｘｎ及びＹ電極ラインＹ１，…，Ｙｎは、アドレス電極ラインＡ１，Ａ２，…，Ａｍと直交するように前面ガラス基板１００の背面に一定のパターンで形成される。各交差点は対応するディスプレイセルを設定する。各Ｘ電極ラインＸ１，…，Ｘｎと各Ｙ電極ラインＹ１，…，Ｙｎとは、ＩＴＯ（Ｉｎｄｉｕｍ  Ｔｉｎ  ＯＸｉｄｅ）のような透明な導電性材質の透明電極ラインＸｎａ、Ｙｎａと伝導度を高めるための金属電極ラインＸｎｂ、Ｙｎｂが結びついて形成されうる。前側誘電層１０２は、Ｘ電極ラインＸ１，…，ＸｎとＹ電極ラインＹ１，…，Ｙｎの背面に全面塗布されて形成される。強い電界からパネル１を保護するための保護層１０４、例えば、一酸化マグネシウム（ＭｇＯ）層は前側誘電層１０２の背面に全面塗布されて形成される。放電空間１０８にはプラズマ形成用ガスが密封される。
【０００６】
このようなＰＤＰに一般的に適用される駆動方式は、初期化、アドレス及びディスプレイ維持段階を単位サブフィールドで順次に実行させる方式である。初期化段階では駆動されるディスプレイセルの電荷状態が均一になる。アドレス段階では、選択されるディスプレイセルの電荷状態と選択されないディスプレイセルの電荷状態が設定される。ディスプレイ維持段階では、選択されるディスプレイセルでディスプレイ放電が行われる。この時、ディスプレイ放電を行うディスプレイセルのプラズマ形成用ガスからプラズマが形成され、このプラズマからの紫外線放射によって前記ディスプレイセルの蛍光層１１２が励起されて発光する。
【０００７】
図３は、図１のＰＤＰの一般的な駆動装置を示す。
【０００８】
図面を参照すれば、ＰＤＰ１の一般的な駆動装置は、映像処理部３００、制御部３０２、アドレス駆動部３０６、Ｘ駆動部３０８、及びＹ駆動部３０４を含む。映像処理部３００は、外部アナログ映像信号をデジタル信号に変換して内部映像信号、例えばそれぞれ８ビットの赤色（Ｒ）、緑色（Ｇ）、及び青色（Ｂ）映像データ、クロック信号、垂直及び水平同期信号を発生させる。制御部３０２は、映像処理部３００からの内部映像信号によって駆動制御信号ＳＡ，ＳＹ，ＳＸを発生させる。アドレス駆動部３０６は、制御部３０２からの駆動制御信号ＳＡ，ＳＹ，ＳＸのうちアドレス信号ＳＡを処理して表示データ信号を発生させ、発生した表示データ信号をアドレス電極ラインに印加する。Ｘ駆動部３０８は、制御部３０２からの駆動制御信号ＳＡ，ＳＹ，ＳＸのうちＸ駆動制御信号ＳＸを処理してＸ電極ラインに印加する。Ｙ駆動部３０４は、制御部３０２からの駆動制御信号ＳＡ，ＳＹ，ＳＸのうちＹ駆動制御信号ＳＹを処理してＹ電極ラインに印加する。
【０００９】
前記のような構造のＰＤＰ１の駆動方法として主に使われるアドレス−ディスプレイ分離駆動方法が特許文献１に開示されている。
【００１０】
図４は、図１のＰＤＰのＹ電極ラインに対する一般的なアドレス−ディスプレイ分離駆動方法を示す。
【００１１】
図面を参照すれば、単位フレームは時分割階調表示を実現するために所定数、例えば８個のサブ−フィールドＳＦ１，…，ＳＦ８に分割されうる。また、各サブ−フィールドＳＦ１，…，ＳＦ８は、リセット区間（図示せず）と、アドレス区間Ａ１，…，Ａ８、及び維持放電区間Ｓ１，…，Ｓ８に分割される。
【００１２】
各アドレス区間Ａ１，…，Ａ８では、アドレス電極ライン（図１のＡＲ１，ＡＧ１，…，ＡＧｍ，ＡＢｍ）に表示データ信号が印加されると同時に各Ｙ電極ラインＹ１，…，Ｙｎに対応する走査パルスが順次に印加される。
【００１３】
各維持放電区間Ｓ１，…，Ｓ８では、Ｙ電極ラインＹ１，…，ＹｎとＸ電極ラインＸ１，…，Ｘｎにディスプレイ放電用パルスが交互に印加され、アドレス区間Ａ１，…，Ａ８で壁電荷が形成された放電セルで表示放電を起こす。
【００１４】
ＰＤＰの輝度は単位フレームで占める維持放電区間Ｓ１，…，Ｓ８内の維持放電パルス数に比例する。１画像を形成する一つのフレームが、８個のサブフィールドと２５６階調で表現される場合、各サブフィールドには順に１、２、４、８、１６、３２、６４、１２８の割合で相異なる維持パルスの数が割り当てられる。もし１３３階調の輝度を得たい場合には、サブフィールド１期間、サブフィールド３期間及びサブフィールド８期間の間にセルをアドレッシングして維持放電すれば良い。
【００１５】
各サブフィールドに割り当てられる維持放電の数は、ＡＰＣ（Ａｕｔｏｍａｔｉｃ  ｐｏｗｅｒ  ｃｏｎｔｒｏｌ）段階によるサブフィールドの加重値によって可変的に決定できる。また、各サブフィールドに割り当てられる維持放電の数は、ガンマ特性やパネル特性を考慮して多様に変形可能である。例えば、サブフィールド４に割り当てられた階調度を８から６に低め、サブフィールド６に割り当てられた階調度を３２から３４に高めうる。また、一つのフレームを形成するサブフィールドの数も設計仕様によって多様に変形可能である。
【００１６】
図５は、図１に示されたパネルの駆動信号の一例を説明するためのタイミング図であって、ＡＣ型ＰＤＰのＡＤＳ（Ａｄｄｒｅｓｓ  ｄｉｓｐｌａＹ  ｓｅｐａｒａｔｅｄ）駆動方式における一つのサブフィールドＳＦ内にアドレス電極Ａ、共通電極Ｘ、及び走査電極Ｙ１〜Ｙｎ印加される駆動信号を示す。図５を参照すれば、一つのサブフィールドＳＦはリセット期間ＰＲ、アドレス期間ＰＡ、及び維持放電期間ＰＳを備える。
【００１７】
リセット期間ＰＲは、あらゆるグループの走査ラインに対してリセットパルスを印加して強制的に書き込み放電を行うことによって、全体セルの壁電荷状態を初期化する。アドレス期間ＰＡに入っていく前にリセット期間ＰＲが行われ、全画面にかけて行われるので、格段に均等し、所望の分布の壁電荷配置が可能である。リセット期間ＰＲにより初期化されたセルは、セル内部の壁電荷条件が全て類似に形成される。リセット期間ＰＲの実行後にアドレス期間ＰＡが行われる。この時アドレス期間ＰＡには、共通電極Ｘにバイアス電圧Ｖｅが印加され、表示されるべきセル位置で走査電極Ｙ１〜Ｙｎとアドレス電極Ａ１〜Ａｍとを同時にターンオンさせることによって、表示セルを選択する。アドレス期間ＰＡの実行後に、共通電極Ｘと走査電極Ｙ１〜Ｙｎに維持パルスＶｓを交互に印加して維持放電期間ＰＳが行われる。維持放電期間ＰＳ中にアドレス電極Ａ１〜Ａｍにはローレベルの電圧ＶＧが印加される。
【００１８】
ＰＤＰにおける輝度は維持放電パルス数によって調整される。一つのサブフィールドまたは一つのＴＶフィールドにおける維持放電パルス数が多ければ輝度が増加する。したがって、輝度を増加させるためには維持放電の印加時間が拡張されなければならない。ところが、ＰＤＰ駆動では１ＴＶフィールドの期間が例えば、６０Ｈｚ、１６．６７ｍｓで固定されているので、維持放電期間を拡張させるためにはリセット期間、アドレス期間を短縮させるか、サブフィールドを減らさなければならない。
【００１９】
ＰＤＰにおける高解像度の具現に当たって最も大きい問題はアドレス動作に必要な時間である。すなわち、走査ラインごとにアドレス時間が割り当てられている。高解像度ＰＤＰであるほど走査ラインの数が多くなるが、結局、同じアドレス速度では走査ライン数の増加分だけアドレス時間が延びる結果となる。このようになれば、固定されたＴＶフィールド期間内で維持放電に割り当てられる期間が減少するという問題点が発生する。
【特許文献１】米国特許第５，５４１，６１８号公報
【発明の開示】
【発明が解決しようとする課題】
【００２０】
本発明が解決しようとする技術的課題は、順次走査電極構造において、インターレース走査を具現するパネル駆動方法及びディスプレイパネルを提供することである。
【００２１】
本発明が解決しようとする他の技術的課題は、順次走査電極構造において、映像モードによって順次走査方式またはインターレース走査方式を可変できるパネル駆動装置を提供することである。
【課題を解決するための手段】
【００２２】
前記技術的課題を達成するための本発明のパネル駆動方法は、順次走査電極構造を有するディスプレイパネルを駆動するために、映像出力モードを決定する段階と、第１モードである場合には順次走査方式で駆動する段階と、第２モードである場合にはインターレース走査方式で駆動する段階と、を備える。ここで、前記第１モードはモニターモードであり、前記第２モードは動映像モードでありうる。
【００２３】
前記インターレース走査方式は、二つ以上の走査電極を一対にして、同一の走査パルス及びアドレス信号を印加する段階と、前記走査パルス及びアドレス信号の印加後に、前記各電極対に対して、一つの電極に主維持放電パルスを印加し、他の電極には補助維持放電パルスを印加する段階と、を備えうる。ここで、前記補助維持放電パルスは、前記主維持放電パルスよりパルス数が少なくても良い。また、前記補助維持放電パルスは、前記主維持放電パルスより狭幅であっても良い。また、前記補助維持放電パルスは、前記主維持放電パルスよりパルスレベルが低くても良い。
【００２４】
前記技術的課題を達成するための本発明の一側面によるパネル駆動装置は、順次走査電極構造を有するディスプレイパネルを駆動するために、映像出力モードを決定する手段と、第１モードである場合には順次走査方式で駆動する手段と、第２モードである場合にはインターレース走査方式で駆動する手段と、を備える。ここで、前記第１モードはモニターモードであり、前記第２モードは動映像モードでありうる。
【００２５】
前記インターレース走査方式で駆動する手段は、二つ以上の走査電極を一対にして、同一の走査パルス及びアドレス信号を印加する手段と、前記走査パルス及びアドレス信号の印加後に、前記各電極対に対して、一つの電極に主維持放電パルスを印加し、他の電極には補助維持放電パルスを印加する手段と、を備えうる。ここで、前記補助維持放電パルスは、前記主維持放電パルスよりパルス数が少なくでも良い。また、前記補助維持放電パルスは、前記主維持放電パルスより狭幅であっても良い。また、前記補助維持放電パルスは、前記主維持放電パルスよりパルスレベルが低くても良い。
【００２６】
前記技術的課題を達成するための本発明の他の側面によるパネル駆動装置は、二つの走査電極を一対にして同一のアドレスパルスを印加する走査パルス発生部と、第１電極グループに主維持放電パルスを発生させる第１維持パルス発生部と、第２電極グループに補助維持放電パルスを発生させる第２維持パルス発生部と、を備える。ここで、走査電極を前記第１、第２電極グループに分類しうる。また、共通電極を前記第１、第２電極グループに分類することもできる。ここで、前記補助維持放電パルスは、前記主維持放電パルスよりパルス数が少なくても良い。また、前記補助維持放電パルスは、前記主維持放電パルスより狭幅でありうる。また、前記補助維持放電パルスは、前記主維持放電パルスよりハイレベル電圧が低くても良い。
【００２７】
前記パネル駆動装置は、前記第１維持パルス発生部と前記第２維持パルス発生部とのうち一つを選択して偶数番目の走査電極に連結する第１選択部をさらに備えうる。ここで、前記パネル駆動装置は、外部から入力される映像の変化程度によって映像モード信号を発生させる映像モード決定部をさらに備え、前記第１選択部は、前記映像モード信号に応じて前記第１維持パルス発生部と前記第２維持パルス発生部とのうち一つを選択しうる。
【００２８】
また、前記パネル駆動装置は、前記第１維持パルス発生部と前記第２維持パルス発生部とのうち一つを選択して前記偶数番目の走査電極に連結する第１選択部及び前記第１維持パルス発生部と前記第２維持パルス発生部とのうち一つを選択して前記奇数番目の走査電極に連結する第２選択部をさらに備えうる。前記パネル駆動装置は、外部から入力される映像の変化程度によって映像モード信号を発生させる映像モード決定部をさらに備え、前記第１選択部及び前記第２選択部は、前記映像モード信号に応じて前記第１維持パルス発生部と前記第２維持パルス発生部とのうち一つを選択しうる。
【００２９】
前記パネル駆動装置は、ユーザーの操作によって映像モード信号を発生させる操作部をさらに備え、前記第１選択部または／及び前記第２選択部は、前記映像モード信号に応じて前記第１維持パルス発生部と前記第２維持パルス発生部とのうち一つを選択しうる。
【発明の効果】
【００３０】
本発明によれば、順次走査電極構造において、インターレース走査を具現するパネル駆動方法及びディスプレイパネルが提供される。したがって、映像モードによって順次走査方式またはインターレース走査方式を可変できる。
【００３１】
ディスプレイパネルが、コンピュータ等に連結されて使われるモニターとして動作する場合には、一般的に変化率の小さい映像が出力されるので、視覚的に高解像度を具現しつつ輝度は低い特性を持つことが望ましい。また、ディスプレイパネルが、動映像をディスプレイする場合には、変化率の大きい映像が出力されるので、輝度特性が重要である。ＰＤＰにおいて輝度を増加させる方法は維持放電に割り当てられる時間を増加させることである。したがって、走査動作にかかる時間を節減して維持放電に割り当てることが一つの方案となる。
【００３２】
本発明は、第１モード、すなわちモニターモードである場合には高解像度を具現できる順次走査方式で動作させ、第２モード、すなわち動映像モードである場合には高輝度を具現できるインターレース方式で動作させうる。
【発明を実施するための最良の形態】
【００３３】
以下、本発明の望ましい実施形態によるパネル駆動装置の構成及び動作を添付した図面に基づいて詳細に説明する。本発明の実施形態ではＡＣ型ＰＤＰの駆動方式を中心として説明する。
【００３４】
図６は、順次走査方式を説明するための電極模式図である。図６に示された３電極ＡＣ型ＰＤＰ（アドレス電極は図示せず）を駆動するためには各画素ごとに１つのスキャン電極と１つの維持放電の電極とが必要である。
【００３５】
図７は、インターレース走査方式を説明するための電極模式図である。図６に示された順次走査方式ではＮ個の走査電極とＮ個の共通電極が要求されるのに比べて、インターレース走査方式では全体Ｎ＋１個の電極のみで足りる。この方式では奇数アドレス区間と偶数アドレス区間とを区切ってパネルを駆動する。奇数アドレス区間は、Ｘ１とＹ１との間、Ｘ２とＹ２との間、及びＸ３とＹ３との間で維持放電が発生する。偶数アドレス区間は、Ｙ１とＸ２との間及びＹ２とＸ３との間で維持放電が発生する。このように奇数アドレス区間及び維持放電区間と、偶数アドレス区間及び維持放電区間とを合わせて１つの画面を構成する。
【００３６】
図８は、本発明の望ましい一実施形態によるパネル駆動方法を説明するためのフローチャートである。図８に示されたパネル駆動方法は、順次走査電極構造を有するディスプレイパネルを駆動するためのものである。
【００３７】
より詳細に説明すれば、まず、映像出力モードを決定する（Ｓ８００段階）。
【００３８】
映像モード判断結果、第１モードである場合には順次走査方式でパネルを駆動する（Ｓ８０２段階）。
【００３９】
映像モード判断結果、第２モードである場合にはインターレース走査方式でパネルを駆動する（Ｓ８０４、Ｓ８０６段階）。前述したように、この場合のインターレース走査方式は、図７に示すように当初にインターレース走査方式のために構成されたパネル構造に適用されるためのものではない。本発明においては、順次走査電極構造を有するディスプレイパネルを駆動するために、主維持放電と補助維持放電の概念を導入した新しい方式のインターレース走査方式を次の通り提案する。
【００４０】
映像モードが第２モードである場合には、二以上の走査電極を一対にして各電極対ごとに同一の走査パルスを印加する（Ｓ８０４段階）。
【００４１】
Ｓ８０４段階後に、各電極対に対して、一つの電極に主維持放電パルスを印加し、他の電極には補助維持放電パルスを印加する（Ｓ８０６段階）。
【００４２】
Ｓ８０４段階で、例えば走査電極を２つずつ対にして同じアドレス信号を付与し、同じ維持放電パルスを印加するならば、単に解像度が半分になるだけである。
【００４３】
ここで主維持放電と補助維持放電の概念を導入する（Ｓ８０６段階）。
【００４４】
主維持放電は、強い発光を誘導する維持放電を意味し、例えば従来の順次走査方式における維持放電に相当する維持放電を意味する。補助維持放電は、主維持放電よりは弱い発光を誘導する維持放電を意味する。
【００４５】
一方、第１モードはモニターモードであり、第２モードは動映像モードである。
【００４６】
ディスプレイパネルが、コンピュータ等に連結されて使われるモニターとして動作する場合には、一般的に変化率の小さい映像が出力されるので、視覚的には高解像度が具現されるが、輝度は低くなる特性を有することが望ましい。
【００４７】
また、ディスプレイパネルが、動映像をディスプレイする場合には、変化率の大きい映像が出力されるので、輝度特性が重要である。ＰＤＰにおける輝度の増加方法は、維持放電に割り当てられる時間を増加させることである。したがって、走査動作にかかる時間を節減して維持放電に割り当てることが一つの方案となる。
【００４８】
したがって、第１モード、すなわちモニターモードである場合には高解像度を具現できる順次走査方式で動作させ、第２モード、すなわち動映像モードである場合には高輝度を具現できるインターレース方式で動作させうる。
【００４９】
補助維持放電を具現するために、補助維持放電パルス数を主維持放電パルス数より少なく印加しうる。
【００５０】
このような方法によって、例えば奇数番目の電極を主維持放電の電極とし、偶数番目の電極を補助維持放電の電極として維持放電パルスを印加すると、主維持放電の電極は強く発光し、補助維持放電の電極は弱く発光する。
【００５１】
補助維持放電を具現する方法として、パルス数を少なく印加する方法の駆動波形例が図９及び図１０に示されている。
【００５２】
図９を参照すれば、一つのサブフィールド内で、アドレス区間ＰＡではＹ１とＹ２に同一の走査パルスが印加され、Ｙ３とＹ４に同一の走査パルスが印加される。したがって、図８のＳ８０４段階が具現される。次に、維持放電区間ＰＳでは、奇数番目の走査電極Ｙ１、Ｙ３に割り当てられたサブフィールドの終了時点まで維持放電パルスが印加され、偶数番目の走査電極Ｙ２、Ｙ４には少ない数の維持放電パルスが印加される。したがって、二つの走査電極単位で同じデータが表示されながら、奇数番目の表示セルは強い発光が誘導され、偶数番目の表示セルは弱い発光が誘導される。ここで、奇数番目の走査電極が主維持放電の電極となり、偶数番目の走査電極が補助維持放電の電極となる。
【００５３】
図１０は、図９の変形例であって、図９とは奇数番目と偶数番目とが変わった形態の駆動波形例である。
【００５４】
図１１は、本発明の望ましい一実施形態による順次走査電極構造において、インターレース方式で走査した場合の電極模式図であって、図９に示された駆動波形によって駆動された結果を示す。
【００５５】
図１１を参照すれば、走査電極Ｙ１、Ｙ２はＡ１、Ａ３、Ａ４で同時にアドレスされて同一に表示されるが、主維持放電の電極であるＹ１がさらに明るく発光する。同様に、走査電極Ｙ３、Ｙ４はＡ２、Ａ３、Ａ４で同一にアドレスされて同一に表示されるが、主維持放電である電極のＹ３がさらに明るく発光する。
【００５６】
図１２は、図１１の変形例であって、図１０に示された駆動波形によって駆動された結果を示す。
【００５７】
図１３は、本発明の望ましい一実施形態によるパネル駆動装置を説明するためのブロック図であって、第１維持放電パルス発生部１３０、第２維持放電パルス発生部１３１、奇数走査電極グループ１３２、偶数走査電極グループ１３３、及び走査パルス発生部１３４を備える。図１３は、順次走査電極構造を有するディスプレイパネルをインターレース走査方式で駆動するための簡略化されたブロック図である。
【００５８】
走査パルス発生部１３４は、二つの走査電極を一対にして各電極対ごとに同一の走査パルスを印加する。そして、第１維持放電パルス発生部１３０は主維持放電パルスを発生させ、第２維持放電パルス発生部１３１は補助維持放電パルスを発生させる。
【００５９】
図１４は、本発明の望ましい他の実施形態によるパネル駆動装置を説明するためのブロック図であって、第１維持放電パルス発生部１４０、第２維持放電パルス発生部１４１、奇数走査電極グループ１４２、偶数走査電極グループ１４３、走査パルス発生部１４４、映像モード決定部１４５、及び選択部１４６を備える。
【００６０】
走査パルス発生部１４４は、二つの走査電極を一対にして各電極対ごとに同一の走査パルスを印加する。そして、第１維持放電パルス発生部１４０は主維持放電パルスを発生させ、第２維持放電パルス発生部１４１は補助維持放電パルスを発生させる。選択部１４６は、映像モード決定部１４５で、例えばモニターモードが決定された場合には第１維持放電パルス発生部１４０を偶数走査電極グループ１４３に連結して順次走査が適用できるようにする。選択部１４６は、例えば動映像モードが決定された場合には、第２維持放電パルス発生部１４１を偶数走査電極グループ１４３に連結してインターレース走査が適用できるようにする。
【００６１】
図１５は、本発明に係るパネル駆動方法を具現できるディスプレイパネルの概略的な構造図である。図面を参照すれば、インターレース走査方式を具現するために、走査電極が主維持放電の電極グループと補助維持放電の電極グループとに分類されており、それぞれが第１維持放電パルス発生部及び第２維持放電パルス発生部により駆動される。順次走査方式が適用されるモニターモードである場合には、第１維持放電パルス発生部と第２維持放電パルス発生部とで同一の維持放電信号を出力すればよい。
【００６２】
図１６は、図１５の変形例によるディスプレイパネルの概略的な構造図である。共通電極を主維持放電の電極グループと補助維持放電の電極グループとに分類した例である。
【００６３】
本発明は、パネルの電極を駆動する方式において、発光するセルを予め選択するアドレス期間と、その選択されたセルを発光させる維持期間を順次に行う表示装置には何れも適用可能である。例えば、ＡＣ型ＰＤＰのみならずＤＣ型ＰＤＰと併せてＥＬ（電光）表示装置、または液晶装置のようにセルを形成する電極に維持パルスを交互に印加することによって、画面を表示する装置にも本発明の技術的思想がそのまま適用できることは当業者にとって自明なことである。
【００６４】
本発明は、またコンピュータ可読記録媒体にコンピュータ可読コードとして具現できる。コンピュータ可読記録媒体はコンピュータシステムによって読み取られるプログラムやデータが保存されるあらゆる種類の記録装置を含む。コンピュータ可読記録媒体の例としては、ＲＯＭ、ＲＡＭ、ＣＤ−ＲＯＭ、磁気テープ、ハードディスク、フレキシブルディスク、フラッシュメモリ、光データ貯蔵装置などがある。ここで、記録媒体に保存されるプログラムとは、特定結果を得るためにコンピュータなどの情報処理能力を持つ装置内で直接または間接的に使われる一連の指示命令で表現されることをいう。したがって、コンピュータという用語も実際に使われる名称の如何に関係なくメモリ、入出力装置、演算装置を具備してプログラムによって特定機能を行うための情報処理能力を有したあらゆる装置を総括する意味として使われる。パネルの駆動装置の場合にもその用途がパネル駆動という特定分野に限定されただけで、その実体においては一種のコンピュータと言える。
【００６５】
特に、本発明に係るパネル駆動方法は、コンピュータ上でスケマティックまたは超高速集積回路ハードウェア技術言語（ＶＨＤＬ）等により作成され、コンピュータに連結されてプログラム可能な集積回路、例えばＦＰＧＡ（Ｆｉｅｌｄ  Ｐｒｏｇｒａｍｍａｂｌｅ  Ｇａｔｅ  Ａｒｒａｙ）により具現できる。前記記録媒体は、このようなプログラム可能な集積回路を含む。
【００６６】
以上、図面と明細書から最適の実施形態が開示された。ここで特定用語が使われたが、これは単に本発明を説明するための目的として使われたものであり、意味限定や特許請求の範囲に記載された本発明の範囲を制限するために使われたものではない。したがって、当業者ならば、これより多様な変形及び均等な他の実施形態が可能である。したがって、本発明の真の技術的保護範囲は特許請求の範囲上の技術的思想により決まるべきである。
【００６７】
本発明は前述され、図面に示された例示に限定されるものではない。当業者ならば、特許請求の範囲に記載された本発明の範囲及び目的内で置換、消去、併合等によって前述した実施形態に対して多様な変形が可能である。
【産業上の利用可能性】
【００６８】
本発明は順次走査電極構造を有するディスプレイパネルに適用されうる。
【図面の簡単な説明】
【００６９】
【図１】一般的な３−電極面放電方式のＰＤＰの構造を示す図面である。
【図２】図１に示されたパネルの一つのセル動作を説明するための図面である。
【図３】図１に示されたＰＤＰの一般的な駆動装置を示す。
【図４】図１のＰＤＰのＹ電極ラインに対する一般的なアドレス−ディスプレイ分離駆動方法を示す。
【図５】図１に示されたパネルの駆動信号の一例を説明するためのタイミング図である。
【図６】順次走査方式を説明するための電極模式図である。
【図７】インターレース走査方式を説明するための電極模式図である。
【図８】本発明の望ましい一実施形態によるパネル駆動方法を説明するためのフローチャートである。
【図９】補助維持放電パルス数を少なく印加する方法の一実施形態による駆動波形を示す。
【図１０】補助維持放電パルス数を少なく印加する方法の他の実施形態による駆動波形を示す。
【図１１】本発明の望ましい一実施形態による順次走査電極構造において、インターレース方式で走査した場合の電極模式図であって、図９に示された駆動波形によって駆動された結果を示す。
【図１２】図１１の変形例であって、図１０に示された駆動波形によって駆動された結果を示す。
【図１３】本発明の望ましい一実施形態によるパネル駆動装置を説明するためのブロック図である。
【図１４】本発明の望ましい他の実施形態によるパネル駆動装置を説明するためのブロック図である。
【図１５】本発明に係るパネル駆動方法を具現できるディスプレイパネルの概略的な構造図である。
【図１６】図１５の変形例によるディスプレイパネルの概略的な構造図である。
【符号の説明】
【００７０】
１…パネル、
１００…前面ガラス基板、
１０２…前側誘電層、
１０２…誘電層、
１０４…保護層、
１０６…背面ガラス基板、
１０８…放電空間、
１１０…下側誘電層、
１１２…蛍光層、
１１４…隔壁、
１３０…第１維持放電パルス発生部、
１３１…第２維持放電パルス発生部、
１３２…奇数走査電極グループ、
１３３…偶数走査電極グループ、
１３４…走査パルス発生部、
１４０…第１維持放電パルス発生部、
１４１…第２維持放電パルス発生部、
１４２…奇数走査電極グループ、
１４３…偶数走査電極グループ、
１４４…走査パルス発生部、
１４５…映像モード決定部、
１４６…選択部、
３００…映像処理部、
３０２…制御部、
３０４…Ｙ駆動部、
３０６…アドレス駆動部、
３０８…Ｘ駆動部。
【図１】
2005122148.tif 000003
【図２】
2005122148.tif 000004
【図３】
2005122148.tif 000005
【図４】
2005122148.tif 000006
【図５】
2005122148.tif 000007
【図６】
2005122148.tif 000008
【図７】
2005122148.tif 000009
【図８】
2005122148.tif 000010
【図９】
2005122148.tif 000011
【図１０】
2005122148.tif 000012
【図１１】
2005122148.tif 000013
【図１２】
2005122148.tif 000014
【図１３】
2005122148.tif 000015
【図１４】
2005122148.tif 000016
【図１５】
2005122148.tif 000017
【図１６】
2005122148.tif 000018